【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
実質的に長手方向に形成されたキースロットおよび内径面を有するジャーナルスリーブと、
前記ジャーナルスリーブに隣接して実質的に円筒形状に巻かれ、かつ前記キースロットに係合された曲げ端部部分を有するバンプフォイルと、
前記バンプフォイルに隣接して実質的に円筒形状に巻かれた中間フォイルと、
前記中間フォイルに隣接して実質的に円筒形状に巻かれ、かつ前記キースロットと係合する曲げ領域で前記中間フォイルと連結されるトップフォイルと、
前記曲げ領域に隣接して前記トップフォイルに形成された第１のトップフォイル切り取り窓と、
前記トップフォイルの自由端に形成された第１の端部タブと、
を有し、
前記第１の端部タブが、前記トップフォイルのスキューイングを低減させるように実質的に円筒形状で前記トップフォイルとともに巻かれ、かつ前記第１のトップフォイル切り取り窓内に延びることを特徴とする流体力学的流体膜ジャーナル軸受アッセンブリ。
【請求項２】
前記曲げ端部部分に隣接して前記バンプフォイルに形成された第１のバンプフォイル切り取り窓をさらに有し、前記第１の端部タブが、前記ジャーナルスリーブの前記内径面と接触することができるように前記第１のバンプフォイル切り取り窓内に延びることを特徴とする請求項１に記載の流体力学的流体膜ジャーナル軸受アッセンブリ。
【請求項３】
前記トップフォイルの前記自由端に形成されるとともに、前記第１の端部タブとは反対側の前記トップフォイルの側縁部に配置された第２の端部タブと、
前記キースロットに隣接して前記トップフォイルに形成され、該トップフォイルのスキューイングを低減させるように前記第２の端部タブが内部に延びる第２のトップフォイル切り取り窓と、
をさらに有することを特徴とする請求項１に記載の流体力学的流体膜ジャーナル軸受アッセンブリ。
【請求項４】
前記曲げ端部部分に隣接して前記バンプフォイルに形成された第２のバンプフォイル切り取り窓をさらに有し、前記第２の端部タブが、前記ジャーナルスリーブの内径面と接触することができるように前記第２のバンプフォイル切り取り窓内に延びることを特徴とする請求項３に記載の流体力学的流体膜ジャーナル軸受アッセンブリ。
【請求項５】
前記第１の端部タブが第１の長手方向寸法を有し、前記第２の端部タブが、誤った組立を防止するために、前記第１の長手方向寸法とは異なる第２の長手方向寸法を有することを特徴とする請求項３に記載の流体力学的流体膜ジャーナル軸受アッセンブリ。
【請求項６】
前記第１のトップフォイル切り取り窓は、概ね円周方向寸法が前記第１の端部タブより短いことを特徴とする請求項１に記載の流体力学的流体膜ジャーナル軸受アッセンブリ。
【請求項７】
前記キースロットは、前記内径面から反対側の外径面まで前記ジャーナルスリーブの厚さ全体を貫通して画定されることを特徴とする請求項１に記載の流体力学的流体膜ジャーナル軸受アッセンブリ。
【請求項８】
前記キースロットは、前記ジャーナルスリーブの長手方向長さに対して長手方向にオフセットすることを特徴とする請求項１に記載の流体力学的流体膜ジャーナル軸受アッセンブリ。
【請求項９】
前記キースロットは、細長く、実質的に長方形の形状であることを特徴とする請求項１に記載の流体力学的流体膜ジャーナル軸受アッセンブリ。
【請求項１０】
前記中間フォイルおよび前記トップフォイルは、単一の一体型シートから形成されることを特徴とする請求項１に記載の流体力学的流体膜ジャーナル軸受アッセンブリ。
【請求項１１】
内径面および反対側の外径面を有するジャーナルスリーブと、
前記ジャーナルスリーブに形成され、前記ジャーナルスリーブの前記内径面と、前記反対側の外径面との間に延びるとともに、前記ジャーナルスリーブによって画定された軸に対して実質的に軸方向に配置された細長い長方形の形状を有するキースロットと、
前記キースロットによって前記ジャーナルスリーブに対して保持されるように、該キースロット内に突出する第１のフォイルと、
前記第１のフォイルに形成された第１のフォイル切り取り窓と、
前記第１のフォイルの自由端に形成され、前記第１のフォイルのスキューイングを低減させるように前記第１のトップフォイル切り取り窓内に延びる第１の端部タブと、
を有する流体力学的流体膜ジャーナル軸受アッセンブリ。
【請求項１２】
前記第１のフォイルが、
概ね円筒形状に巻かれた中間フォイル部分と、
前記中間フォイルに隣接して概ね円筒形状に巻かれたトップフォイル部分と、
を有し、
前記トップフォイルおよび前記中間フォイルが、前記第１のフォイルを前記ジャーナルスリーブに対して保持するように、前記キースロット内に突出する前記曲げ領域で連結されることを特徴とする請求項１１に記載の流体力学的流体膜ジャーナル軸受アッセンブリ。
【請求項１３】
前記中間フォイルおよび前記トップフォイルが、単一の一体型シートから形成されることを特徴とする請求項１２に記載の流体力学的流体膜ジャーナル軸受アッセンブリ。
【請求項１４】
概ね円筒形状に巻かれ、かつ前記ジャーナルスリーブと前記第１のフォイルの前記中間フォイル部分との間に実質的に配置されるとともに、前記キースロットと係合された曲げ端部部分を有するバンプフォイルをさらに有することを特徴とする請求項１２に記載の流体力学的流体膜ジャーナル軸受アッセンブリ。
【請求項１５】
前記曲げ端部部分に隣接して前記バンプフォイルに形成された第１のバンプフォイル切り取り窓をさらに有し、前記第１の端部タブが、前記ジャーナルスリーブの前記内径面と接触することができるように前記第１のバンプフォイル切り取り窓内に延びることを特徴とする請求項１４に記載の流体力学的流体膜ジャーナル軸受アッセンブリ。
【請求項１６】
前記第１の端部タブが、前記トップフォイルの側縁部に形成されることを特徴とする請求項１４に記載の流体力学的流体膜ジャーナル軸受アッセンブリ。
【請求項１７】
前記トップフォイルの前記自由端に形成され、該トップフォイルの前記第１の端部タブとは反対側の側縁部に配置された第２の端部タブと、
前記キースロットに隣接して前記トップフォイルに形成され、該トップフォイルのスキューイングを低減させるように、前記第２の端部タブが内部に延びる第２のトップフォイル切り取り窓と、
をさらに有することを特徴とする請求項１４に記載の流体力学的流体膜ジャーナル軸受アッセンブリ。
【請求項１８】
前記第１の端部タブが第１の軸方向寸法を有し、前記第２の端部タブは、誤った組立を防止するために前記第１の軸方向寸法とは異なる第２の軸方向寸法を有することを特徴とする請求項１７に記載の流体力学的流体膜ジャーナル軸受アッセンブリ。
【請求項１９】
前記キースロットは、前記ジャーナルスリーブの軸方向長さに対して軸方向にオフセットすることを特徴とする請求項１１に記載の流体力学的流体膜ジャーナル軸受アッセンブリ。
【請求項２０】
前記第１のトップフォイル切り取り窓は、概ね円周方向の寸法が第１の端部タブより小さいことを特徴とする請求項１１に記載の流体力学的流体膜ジャーナル軸受アッセンブリ。
【請求項２１】
ジャーナルスリーブ、バンプフォイル、中間フォイルおよびトップフォイルを有する流体力学的流体膜ジャーナル軸受アッセンブリを製造する方法であって、
前記トップフォイルの第１の側縁部に曲げ領域に隣接して第１のトップフォイル切り取り窓を画定し、前記トップフォイルの前記第１の側縁部で前記トップフォイルの自由端に第１の端部タブを画定するフォイル形状を形成するステップと、
前記トップフォイルおよび前記中間フォイルが連結された曲げ領域を形成するステップと、
前記バンプフォイルの第１の端部に曲げ端部を形成するステップと、
前記ジャーナルスリーブにおける両側の内径面と外径面との間で該ジャーナルスリーブを貫通するキースロットを機械加工するステップと、
前記バンプフォイルを実質的に円筒形状に巻くステップと、
前記バンプフォイルの前記第１の端部における前記曲げ端部を前記ジャーナルスリーブの前記キースロットに挿入するステップと、
前記中間フォイルを実質的に円筒形状に巻くステップと、
前記トップフォイルを前記中間フォイルに隣接して巻くステップと、
前記中間フォイルが前記バンプフォイルに隣接するように、前記トップフォイルおよび前記中間フォイルが連結された曲げ領域を前記キースロットに挿入するステップと、
前記第１の端部タブを前記第１のトップフォイル切り取り窓に挿入するステップと、
を含む製造方法。
【請求項２２】
前記トップフォイル形状を形成するステップが、前記トップフォイルの第２の側縁部に前記曲げ領域に隣接して第２のトップフォイル切り取り窓を画定することと、前記トップフォイルの前記第２の側縁部で前記トップフォイルの前記自由端に第２の端部タブを画定することと、を含み、
前記製造方法が、
前記第２の端部タブを前記第２のトップフォイル切り取り窓に挿入することをさらに含むことを特徴とする請求項２１に記載の製造方法。
【請求項２３】
前記ジャーナルスリーブにおける両側の内径面と外径面との間で前記ジャーナルスリーブを貫通するキースロットを機械加工するステップが、放電加工を含むことを特徴とする請求項２１に記載の製造方法。
【請求項２４】
前記第１の端部タブを前記第１のトップフォイル切り取り窓に挿入するステップは、前記第１の端部タブを曲げることを必要としないことを特徴とする請求項２１に記載の製造方法。